【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  プラスチック成形品（１１）の外観欠陥を同定し定量するシステムであって、
複数のサンプルプラスチック成形品（１１）を製造する成形ツール（２）、
少なくとも１つのサンプルプラスチック成形品（１１）上の複数のサンプル点（１７）からの反射光（１４）の複数の生データ読取値（５０）を得る空間分解分光計（１）、及び
生データ読取値（５０）を解析し定量することにより生データ読取値（５０）を後処理するコンピュータ化装置（１０１）
を備えてなるシステム。
【請求項２】  成形ツール（２）がさらに、１以上のゲート（３７）を有するキャビティ（２１，２２）を備えていて、
溶融プラスチックを１以上のゲート（３７）を通してキャビティ（２１，２２）中に押し出して、１以上のゲート（３７）を通しての押出しから生じる外観欠陥を有するサンプルプラスチック成形品（１１）を製造する、請求項１記載のシステム。
【請求項３】  成形ツール（２）がさらに、
１以上のゲート（３７）及び１以上のインサート位置（２６）を有するキャビティ（２１，２２）及び
１以上のインサート位置（２６）に挿入される、１以上のネガティブ位相特徴を有する１以上の成形ツールインサート（３）を備えていて、
溶融プラスチックをゲート（３７）を通してキャビティ（２１，２２）中に押し出して、１以上の成形ツールインサート（３）のネガティブ位相特徴に対応するポジティブ位相表面特徴を有するとともにこれらのポジティブ位相表面特徴から生じる外観欠陥を有するサンプルプラスチック成形品（１１）を製造する、請求項１記載のシステム。
【請求項４】  ネガティブ位相特徴とその対応ポジティブ位相特徴が、
平坦な、特徴のない表面、
穴（３１）、
ボス（３２）、
ゲート（３７）を通しての溶融プラスチックの押出しに対する角度が０〜４５度であるリブ（３３）、
ゲート（３７）を通しての溶融プラスチックの押出しに対する角度が４５〜９０度であるリブ（３４）、
ゲート（３７）を通しての溶融プラスチックの押出しに対する角度が０〜４５度であるグリル（３５）、及び
ゲート（３７）を通しての溶融プラスチックの押出しに対する角度が４５〜９０度であるグリル（３６）
からなる位相特徴群から選択される、請求項３記載のシステム。
【請求項５】  コンピュータ化装置（１０１）が、
生データ（５０）から所定の閾値未満の局所ノイズをフィルタ除去することにより、圧縮データを計算するコンピュータ化データ圧縮手段（５１１）、
圧縮データ中の極大点及び極小点からなる極限点を同定することにより、第一反復フィルタ処理データを計算するコンピュータ化第一反復フィルタ処理手段（５１２）、
第一反復フィルタ処理データから、隣接極限点との変動の大きさが所定の制限値未満の極限点を除去することにより、第二反復フィルタ処理データを計算するコンピュータ化第二反復フィルタ処理手段（５１３）、及び
片側に高い極大点が隣接し、もう一方の側に低い極大点が隣接する極小点を第二反復フィルタ処理データに戻すことにより、最終反復フィルタ処理データグラフを計算するコンピュータ化第三反復フィルタ処理手段（５１３）
を含む、請求項１記載のシステム。
【請求項６】  コンピュータ化装置（１０１）がさらに、
最終反復フィルタ処理データグラフから、次式：
Ｑ＝ｌｎ（Ｍ×ΣｄＬ／ｄｘ）                    （１）
（式中のΣｄＬ／ｄｘは最終反復フィルタ処理データの勾配の和を表し、Ｍは線形化乗数である）で与えられる品質数Ｑを計算し線形化するコンピュータ化品質計算手段（５１４，５１５）を備える、請求項５記載のシステム。
【請求項７】  コンピュータ化装置（１０１）がさらに、最終反復フィルタ処理データグラフからデータ形状記述子を導びき出すコンピュータ化形状計算手段（５２２）を備え、データ形状記述子は、
上記極大点の少なくとも１つの、それに隣接した少なくとも１つの極小点からの高さ、
上記極大点の少なくとも１つとそれに隣接した少なくとも１つの極小点との間のフィルタ処理データグラフの勾配、
少なくとも１対の選択された極限点間のフィルタ処理データグラフの幅、及び
フィルタ処理データグラフの少なくとも１つの領域の曲線形状
からなるデータ形状記述子群から選択される少なくとも１つである、
請求項５記載のシステム。
【請求項８】  コンピュータ化装置（１０１）がさらに、
生データ（５０）から所定のノイズ閾値未満の局所ノイズをフィルタ除去することにより、生データ（５０）中の極大点及び極小点からなる極限点を同定する（５３２）ことにより、圧縮データを計算するコンピュータ化データ圧縮手段（５３１）、及び
圧縮データの極限点の平均ピーク高さを計算するコンピュータ化シフト計算手段（５３３）を備え、
ここでピーク高さの平均シフトＳは、次式：
Ｓ＝Ｔ／Ｎ
（式中のＴは所定の高さ閾値を超えるピーク高さの総和を表し、Ｎは所定の高さ閾値を超えるピーク高さの数を表す）として計算する、
請求項１記載のシステム。
【請求項９】  成形ツール（２）を用いて複数のサンプルプラスチック成形品（１１）を製造する工程と、
空間分解分光計（１）を用いて、少なくとも１つのサンプルプラスチック成形品（１１）上の複数のサンプル点（１７）からの反射光（１４）の複数の生データ読取値（５０）を得る工程と、
コンピュータ装置（１０１）を用いて、生データ読取値（５０）を後処理することにより生データ読取値（５０）を解析し定量する工程と
を含む、プラスチック成形品（１１）の外観欠陥を同定し定量する方法。
【請求項１０】  成形ツール（２）を用いてサンプルプラスチック成形品（１１）を製造する工程が、
溶融プラスチックを１以上のゲート（３７）を通してキャビティ（２１，２２）中に押し出し、これにより１以上のゲート（３７）を通しての押出しから生じる外観欠陥を有するサンプルプラスチック成形品（１１）を製造する工程を含む、
請求項９記載の方法。
【請求項１１】  成形ツール（２）を用いてサンプルプラスチック成形品（１１）を製造する工程が、
１以上のネガティブ位相特徴を有する１以上の成形ツールインサート（３）をキャビティ（２１，２２）の１以上のインサート位置（２６）に挿入する工程、及び
溶融プラスチックを１以上のゲート（３７）を通してキャビティ（２１，２２）中に押し出し、これにより１以上の成形ツールインサート（３）のネガティブ位相特徴に対応するポジティブ位相表面特徴を有するとともにこれらのポジティブ位相表面特徴から生じる外観欠陥を有するサンプルプラスチック成形品（１１）を製造する工程を含む、
請求項９記載の方法。
【請求項１２】  さらに、ネガティブ位相特徴とその対応ポジティブ位相特徴を、
平坦な、特徴のない表面、
穴（３１）、
ボス（３２）、
ゲート（３７）を通しての溶融プラスチックの押出しに対する角度が０〜４５度であるリブ（３３）、
ゲート（３７）を通しての溶融プラスチックの押出しに対する角度が４５〜９０度であるリブ（３４）、
ゲート（３７）を通しての溶融プラスチックの押出しに対する角度が０〜４５度であるグリル（３５）、及び
ゲート（３７）を通しての溶融プラスチックの押出しに対する角度が４５〜９０度であるグリル（３６）
からなる位相特徴群から選択する工程を含む、請求項１１記載の方法。
【請求項１３】  コンピュータ装置（１０１）を用いて、生データ読取値（５０）を後処理することにより生データ読取値（５０）を解析し定量する工程が、
所定の閾値未満の局所ノイズをフィルタ除去することにより、生データ（５０）から圧縮データを計算する工程（５１１）、
圧縮データ中の極大点及び極小点からなる極限点を同定することにより、第一反復フィルタ処理データを計算する工程（５１２）、
第一反復フィルタ処理データから、隣接極限点との変動の大きさが所定の制限値未満の極限点を除去することにより、第二反復フィルタ処理データを計算する工程（５１３）、及び
片側に高い極大点が隣接し、もう一方の側に低い極大点が隣接する極小点を第二反復フィルタ処理データに戻すことにより、最終反復フィルタ処理データグラフを計算する工程（５１３）を含む、
請求項９記載の方法。
【請求項１４】  さらに、
最終反復フィルタ処理データグラフから、次式：
Ｑ＝ｌｎ（Ｍ×ΣｄＬ／ｄｘ）                    （１）
（式中のΣｄＬ／ｄｘは最終反復フィルタ処理データの勾配の和を表し、Ｍは線形化乗数である）で与えられる品質数Ｑを計算し線形化する工程（５１４，５１５）を含む、請求項１３記載の方法。
【請求項１５】  さらに、最終反復フィルタ処理データグラフからデータ形状記述子を導びき出す工程（５２２）を含み、データ形状記述子は、
上記極大点の少なくとも１つの、それに隣接した少なくとも１つの極小点からの高さ、
上記極大点の少なくとも１つとそれに隣接した少なくとも１つの極小点との間のフィルタ処理データグラフの勾配、
少なくとも１対の選択された極限点間のフィルタ処理データグラフの幅、及び
フィルタ処理データグラフの少なくとも１つの領域の曲線形状
からなるデータ形状記述子群から選択される少なくとも１つである、
請求項１３記載の方法。
【請求項１６】  コンピュータ装置（１０１）を用いて、生データ読取値（５０）を後処理することにより生データ読取値（５０）を解析し定量する工程がさらに、
生データ（５０）から所定のノイズ閾値未満の局所ノイズをフィルタ除去することにより、生データ（５０）中の極大点及び極小点からなる極限点を同定する（５３２）ことにより、圧縮データを計算する工程（５３１）、及び
圧縮データの極限点の平均ピーク高さを計算する工程（５３３）を含み、
ここでピーク高さの平均シフトＳは、次式：
Ｓ＝Ｔ／Ｎ
（式中のＴは所定の高さ閾値を超えるピーク高さの総和を表し、Ｎは所定の高さ閾値を超えるピーク高さの数を表す）として計算する、
請求項９記載の方法。
【請求項１７】  請求項１記載のシステムに使用されるサンプルプラスチック成形品（１１）を製造するための、ゲート付きキャビティを備える成形ツール（２）であって、ゲート付きキャビティが、
（ｉ）１以上のゲート（３７）を有するキャビティ（２１，２２）であり、
この場合溶融プラスチックを１以上のゲート（３７）を通してキャビティ（２１，２２）中に押し出して、１以上のゲート（３７）を通しての押出しから生じる外観欠陥を有するサンプルプラスチック成形品（１１）を製造するか、又は
（ｉｉ）１以上のゲート（３７）及び１以上のインサート位置（２６）を有するキャビティ（２１，２２）であり、
この場合成形ツールがさらに１以上のインサート位置（２６）に挿入される、１以上のネガティブ位相特徴を有する１以上の成形ツールインサート（３）を備え、
溶融プラスチックをゲート（３７）を通してキャビティ（２１，２２）中に押し出して、１以上の成形ツールインサート（３）のネガティブ位相特徴に対応するポジティブ位相表面特徴を有するとともにこれらのポジティブ位相表面特徴から生じる外観欠陥を有するサンプルプラスチック成形品（１１）を製造する、
成形ツール（２）。
【請求項１８】  ネガティブ位相特徴とその対応ポジティブ位相特徴が、
平坦な、特徴のない表面、
穴（３１）、
ボス（３２）、
ゲート（３７）を通しての溶融プラスチックの押出しに対する角度が０〜４５度であるリブ（３３）、
ゲート（３７）を通しての溶融プラスチックの押出しに対する角度が４５〜９０度であるリブ（３４）、
ゲート（３７）を通しての溶融プラスチックの押出しに対する角度が０〜４５度であるグリル（３５）、及び
ゲート（３７）を通しての溶融プラスチックの押出しに対する角度が４５〜９０度であるグリル（３６）
からなる位相特徴群から選択される、請求項１７記載の成形ツール（２）。